(57)【要約】【課題】  一対のブラケットの間に、軸受を介して回転自在に固定される電動機の回転子の中で、永久磁石を金型により打ち抜かれた電磁鋼板を積層してなる、回転子鉄心に設けられた貫通穴に挿入するタイプでは、前記挿入した永久磁石のスラストおよびラジアル方向への固定に接着剤等を利用しているため、接着剤の重量により、回転子自身のアンバランス量が大きくなってしまうとか、接着剤の硬化のための時間が必要であるため、生産の歩留まりが悪化してしまうといった課題を有している。【解決手段】  回転子鉄心の両側に部品を設け、それら２つの部品間で永久磁石を挟み込む構成とすることにより、スラスト方向およびラジアル方向の固定が可能となるため、接着剤等の材料を使用せずに永久磁石を固定することが可能となる。【選択図】  図１
2006109645.tif 000002
【特許請求の範囲】
【請求項１】
一対のブラケットの間に、軸受を介して、回転自在に固定される電動機の、電磁鋼板を積層してなる回転子鉄心の一方の鉄板形状を他の鉄板形状とは異なり、永久磁石挿入用の貫通穴の一部を塞ぐような爪形状を設け、永久磁石のスラスト方向の固定をするとともに、回転子鉄心のもう一方の端面側には、軸受固定用の樹脂部品からラジアル方向に伸びた接続部分で繋がる、前記貫通穴を塞ぐ環状の樹脂部品を設け、それら２つの部品間で、永久磁石を挟み込む構成としたことを特徴とする電動機の回転子。
【請求項２】
請求項１記載の回転子に於いて、永久磁石の微小動きによる、当たり音対策として、鉄心の貫通穴と、永久磁石の隙間の一部に、速乾性の接着剤を塗布し、当たり音の発生を抑えたことを特徴とする電動機の回転子
【発明の詳細な説明】
【技術分野】
【０００１】
本発明は、電気機器等に用いられる、電動機の回転子に関する。
【背景技術】
【０００２】
従来より、電動機の回転子には、永久磁石を使用して、主磁束を発生させるタイプのものが、良く使用されているが、近年では、電動機の小型化・高効率化を進めるなかで、永久磁石を、金型で打ち抜かれた電磁鋼板を積層してなる回転子鉄心に設けられた貫通穴に永久磁石を挿入して固定するＩＰＭ形状の回転子が増加してきている。
【０００３】
この様な中、前記回転子鉄心に設けられる貫通穴は、挿入される永久磁石の外形寸法より大きく設定しなければ、永久磁石を挿入できなくなるため、どうしても磁石と貫通穴の間には、隙間が生じるため、スラスト方向およびラジアル方向の固定には、接着剤等を使用し、前記隙間を埋めて固定するような方法をとらなければならなくなり、その為、接着剤の重量により、回転子のアンバランスの悪化や、接着剤の乾燥のために時間が必要であるため、歩留まりが悪化すると言った課題を有している。
【０００４】
以下に、従来の電動機の回転子について図を参照にしながら詳細に説明する。図４は、従来の電動機に用いられる回転子の半断面図を表している、従来の回転子に於いては、図４に示すように、出力軸１の略中央部に電磁鋼板を積層してなる鉄心２が、圧入により取り付けられ、前記鉄心２に設けられた貫通穴２ａ（図２に表示）に、永久磁石３を挿入固定し、一対のブラケット（非表示）に回転自在に固定するための軸受４を出力軸１の両側に取り付けており、出力側の軸受４ａの固定には、出力軸１に、設けられた溝に、止め輪などを取り付けて行っている。
【０００５】
上記のようにしてなる、電動機の回転子において、永久磁石３を鉄心２の貫通穴２ａに固定する方法として、接着剤６などを図のように、永久磁石３と貫通穴２ａとの隙間を埋めるように注入して固定するといった構成をとるのが一般的である。
【０００６】
しかしながら、上記のような方法では、固定に用いる接着剤６の注入量のバラツキにより、回転子自身のアンバランスが増加してしまうとか、接着剤６が完全に硬化するまで、次工程に移れないために、歩留まりが、悪化してしまうといった課題を有していた。（例えば、特許文献１参照）
【特許文献１】特開平８−３３１７８３号公報
【発明の開示】
【発明が解決しようとする課題】
【０００７】
本発明は、上記従来例の課題点を鑑み、電動機の回転子に挿入固定される永久磁石を接着剤等の部材を使用せずに確実に固定することが可能となる電動機の回転子を提供することを目的とする。
【課題を解決するための手段】
【０００８】
上記課題点を解決するために、本発明の電動機の回転子は、積層固定される鉄心の一方の端面側鉄板と、逆端面に取り付けられる一対のブラケットに回転自在に固定するために取り付けられる軸受固定用の樹脂部品との間に挟みこんで、永久磁石を挿入固定することにより、接着剤等の部材を使用しない構成とする。
【０００９】
上記構成によれば、永久磁石の固定により、回転子のアンバランスが悪化しないばかりか、接着剤の効果の時間も必要なくなるため、歩留まりを悪化させることもなくなる。
【発明の効果】
【００１０】
以上説明したように、本発明によれば、永久磁石のスラスト方向およびラジアル方向の固定に、接着剤等を使用しない構成となるため、接着剤の注入量のバラツキによる回転子のアンバランスの悪化や、接着剤の完全硬化を待つための歩留まり悪化を防ぐことが可能となる電動機の回転子を提供することが可能となる。
【発明を実施するための最良の形態】
【００１１】
以下、図面を参照にしながら、本発明の実施例について詳細に説明する。
【実施例１】
【００１２】
図１は、本発明の実施例１に於ける電動機の回転子の半断面図を示している。本発明の回転子に於いては、図１に示すように、出力軸１の略中央部に電磁鋼板を積層してなる鉄心２が、圧入により取り付けられ、前記鉄心２に設けられた貫通穴２ａに、永久磁石３を挿入固定し、一対のブラケット（非表示）に回転自在に固定するための軸受４を出力軸１の両側に取り付けており、出力側の軸受４ａの固定には、出力軸１に略固定された樹脂部品５を用いて行っている。
【００１３】
上記のようにしてなる、本発明の実施例１の回転子に於いて、挿入固定される永久磁石３の固定は、電磁鋼板を積層してなる鉄心２の一方の端面側鉄板２ａ形状を、その他の鉄板形状とは異なり、図２に示すように、永久磁石３挿入用の貫通穴２ａ部分に、矩形の爪部分２ｂを設けた形状として、挿入された永久磁石３のスラスト方向の固定を行い、もう一方の端面側には、永久磁石３挿入用の貫通穴２ａを塞ぐような環形状を一対のブラケットに回転自在に固定するために取り付けられる軸受４の固定として設けられる樹脂部品５の一部に設け、それら２つの部材で永久磁石３を挟み込んで固定する構成とすることにより、永久磁石３を図３の矢印に示す方向すなわちスラスト方向およびラジアル方向のどちらの方向にも固定することができるため、接着剤等の使用無く永久磁石３を確実に固定することが可能となる。
【実施例２】
【００１４】
また、上記実施例１の構成の場合、永久磁石３の固定が、鉄板の爪形状部分２ｂと樹脂部品５による弾性固定であるため、場合によっては、回転子の回転に伴い微小動きが生じ、それに伴う当たり音が発生する可能性があるため、本考案の請求項２においては、図３に示すように、回転子鉄心２の貫通穴２ａ（図２に表示）と永久磁石３との隙間の一部に、速乾性の接着剤６等を用い、微小動きによる音対策を施している。
【産業上の利用可能性】
【００１５】
本発明のＩＰＭモータのロータ構造は、電気機器等に用いられる電動機の回転子に適用できる。
【図面の簡単な説明】
【００１６】
【図１】本発明の実施例１における電動機の回転子の半断面図
【図２】本発明の実施例１における回転子鉄板図
【図３】本発明の実施例１及び実施例２における回転子の永久磁石固定観念図
【図４】従来の実施例における電動送風機の半断面図
【符号の説明】
【００１７】
１  出力軸
２  鉄心
２ａ  鉄板貫通穴
２ｂ  鉄板貫通穴の矩形爪部分
３  永久磁石
４  軸受
４ａ出力側軸受
５  軸受固定樹脂部品
６  接着剤
【図１】
2006109645.tif 000003
【図２】
2006109645.tif 000004
【図３】
2006109645.tif 000005
【図４】
2006109645.tif 000006